(57)【特許請求の範囲】
【請求項１】
所要数のランプを縦横に行と列とをなすように配置してなる光源を有し、かつ前記各ランプに所定の変圧比率で変圧された電圧を印加するようにしてなる照射装置において、
前記各ランプの照射強度または光度は行および／または列ごとに同一とされ、前記変圧比率は行および列ごとに設定され、前記各ランプには前記行および列ごとに設定された変圧比率を乗算してなる変圧比率の電圧が印加されるようにされてなることを特徴とする照射装置。
【請求項２】
所要数のランプを縦横に行と列とをなすように配置してなる光源を有し、かつ前記各ランプに所定の変圧比率で変圧された電圧を印加するようにしてなる照射装置において、
前記光源が所要数の領域に分割され、前記各ランプの照射強度または光度は各領域ごとに同一とされ、前記変圧比率は行および列ごとに設定され、前記各ランプには前記行および列ごとに設定された変圧比率を乗算してなる変圧比率の電圧が印加されるようにされてなることを特徴とする照射装置。
【請求項３】
外周の行および／または列の光源が外方に向けて所望角度で寝かされていることを特徴とする請求項１または２記載の照射装置。
【請求項４】
前記領域が内側領域と外側領域とされ、前記外側領域のランプの照射強度または光度が、内側領域のランプの照射強度または光度より強くされてなることを特徴とする請求項２記載の照射装置。
【発明の詳細な説明】
【０００１】
【発明の属する技術分野】
本発明は照射装置に関する。さらに詳しくは、ランプを縦横に行と列とをなすように配置してなる光源を有して、その光源の所要数の領域に対応した被照射面の所定の領域内を均一に照射または加熱できるようにしてなる照射装置に関する。
【０００２】
【従来の技術】
従来より、ランプを縦横に行と列とをなすように配置してなる、いわゆる光源をマトリックス状に配置してなる光源を有する照射装置により、被照射面を照射または加熱することがなされている。
【０００３】
被照射面が光源面積と同等かそれ以上のとき、ランプの選択、ランプの照度調整、印加電圧の制御、ランプの照射方向の調整などを各ランプ毎になさなければならないので、それらの調整がきわめて煩雑となる。まして、対象物がいろいろ異なる場合は更に困難となる。しかも、そのような煩雑な作業を行っても、まだ被照射面を満足のいく程度に均一に照射や加熱がなし得ないという問題もある。
【０００４】
【発明が解決しようとする課題】
本発明はかかる従来技術の課題に鑑みなされたものであって、光源面積より広い被照射面に対しても、被照射面全体あるいは照射面の所定の領域毎を均一に照射や加熱することを簡易になし得る照射装置を提供することを目的としている。
【０００５】
【課題を解決するための手段】
本発明の照射装置の第１形態は、所要数のランプを縦横に行と列とをなすように配置してなる光源を有し、かつ前記各ランプに所定の変圧比率で変圧された電圧を印加してなる照射装置において、前記各ランプの照射強度または光度は行および／または列ごとに同一とされ、前記変圧比率は行および列ごとに設定され、前記各ランプには前記行および列ごとに設定された変圧比率を乗算してなる変圧比率の電圧が印加されるようにされてなることを特徴とする。
【０００６】
本発明の照射装置の第２形態は、所要数のランプを縦横に行と列とをなすように配置してなる光源を有し、かつ前記各ランプに所定の変圧比率で変圧された電圧を印加してなる照射装置において、前記光源が所要数の領域に分割され、前記各ランプの照射強度または光度は各領域ごとに同一とされ、前記変圧比率は行および列ごとに設定され、前記各ランプには前記行および列ごとに設定された変圧比率を乗算してなる変圧比率の電圧が印加されるようにされてなることを特徴とする。
【０００７】
本発明の照射装置においては、外周の行および／または列のランプが外方に向け所望角度で寝かされていてもよい。
【０００８】
また、本発明の照射装置においては、前記領域が内側領域と外側領域とされ、前記外側領域のランプの照射強度または光度が内側領域のランプの照射強度または光度より強くされていてもよい。
【０００９】
【作用】
本発明は前記の如く構成されているので、被照射面を所定の領域毎にほぼ均一にまたは所望分布で照射することができる。
【００１０】
【発明の実施の形態】
以下、添付図面を参照しながら、本発明を実施形態に基づいて説明するが、本発明はかかる実施形態のみに限定されるものではない。
【００１１】
実施形態１
本発明の実施形態１に係る照射装置を図１〜図３に示す。図１は本実施形態１に係る照射装置と、それが照射する被照射体との位置関係を示す図である。図２は照射装置の照射面上のランプ配置を示す配置図であり、図３は電源装置の配線図である。
【００１２】
本実施形態１に係る照射装置Ａ１は、図１〜図３に示すように、光源１０と、この光源１０に電力を供給する電源装置Ｅとを主要構成要素として備えてなる。
【００１３】
光源１０は、図１に示すように、ハウジング１１と、その一面（照射面１２）に縦横に行と列とをなすマトリックス状に配列された同一照射強度または光度の所定数のランプＬとを備え、このランプＬ群により前記照射面１２の下方に配置された被照射体Ｗの一面（被照射面Ｗ１）を照射するものである。この照射面１２と被照射面Ｗ１とは、概略同形状・同面積とされ、例えば距離１０００ｍｍをもって平行に配置されている。なお、ここでいう上下は、図１における位置関係を示すために便宜的に付したものであり、したがって光源１０と被照射体Ｗとの位置関係が変われば、それに対応させられるものである。
【００１４】
前記マトリックス状の配列は、この実施形態１では、図２に示すように、５行（１〜５行）×５列（ａ〜ｅ列）とされている。また、マトリックス状に配列されているランプＬは、すべて同一定格の２５０Ｗランプとされており、各ランプＬの中心間隔はすべて２５０ｍｍとされている。以下、ランプＬを特定するために、ランプＬに行番号と列番号を付して、ランプＬｍｎのように記述する。例えば３行目ｂ列のランプＬをランプＬ３ｂと表記し、またランプＬｎはｎ行目あるいはｎ列目のランプＬ群を指す。
【００１５】
電源装置Ｅは、図１に示すようにハウジング１１内に収納され、そしてこの電源装置ＥからこれらのランプＬｍｎ（図示例においては、ｍ＝１〜５、ｎ＝ａ〜ｅ）に供給される電圧（印加電圧）は、図３に示すように電源装置Ｅに設けられている変圧装置（変圧手段）Ｔにより、各行毎に所定の変圧比で変圧され、かつ各列毎に所定の変圧比で変圧されるものとされており、つまり印加電圧を所定変圧比で順次変圧するように回路構成されている。前記所定変圧比は、具体的には、図２中の％数字で示すように１行目から５行目の変圧比はこの順に１００％、７２％、６７％、７２％、１００％とされ、ａ列目からｅ列目の変圧比はこの順に１００％、７２％、６７％、７２％、１００％とされている。つまり、被照射面Ｗ１がほぼ同一の照度で均一に照射されるように変圧比が設定されている。なお、変圧比１００％とされる１行目、５行目、ａ列目、ｅ列目は変圧を行わないことと同等であり、実質上変圧装置Ｔを必要としない。
【００１６】
したがって、この電源装置Ｅにおける配線は、図３に示すように、前述の変圧を行わない行・列の変圧装置Ｔ１、Ｔ５、Ｔａ、Ｔｅは省略できるので破線で表示して実在しないことを示す一方、各ランプＬに各行の元に配設されて各行で共用される実在する所定変圧比の変圧装置Ｔ２、Ｔ３、Ｔ４と、各列で実在する所定変圧比の変圧装置Ｔｂ、Ｔｃ、Ｔｄとをそれぞれ実線で示し、かつそれらを直列に接続した構成とされている。なお、Ｔの横の数字は行を示し、アルファベットは列を示す。そして、変圧装置Ｔの変圧比をｔと略記すると、ｔは前述のように、ｔ２＝ｔ４＝７２％、ｔ３＝６７％、ｔｂ＝ｔｄ＝７２％、ｔｃ＝６７％とされている。
【００１７】
しかして、かかる配線によりランプＬｍｎに印加される電圧は、以下のように制御される。
【００１８】
照射面１２上のマトリックスのｍ行・ｎ列位置に配設されたランプＬｍｎには、ｍ行目に共用される変圧装置Ｔｍにより変圧比ｔｍで変圧された後、そのランプＬｍｎに付随するｎ列で所定の変圧比ｔｎの変圧装置Ｔｎにより変圧された電圧が印加される。したがって、このランプＬｍｎに印加される電圧の変圧比はｔｍ×ｔｎとなる。例えば、ランプＬ３ｄにおいては、変圧装置Ｔ３（変圧比ｔ３＝６７％）で変圧された後にさらに変圧装置Ｔｄ（変圧比ｔｄ＝７２％）で変圧されるため、その変圧比は４８％（６７％×７２％）となる。
【００１９】
しかして、この照射装置Ａ１をランプＬの定格電圧２２０Ｖの交流電源に接続し、その被照射面Ｗ１の中心部、すなわちランプＬ３ｃの直下における照度を測定すると１３３７ルクスであった。同様に、各ランプＬｍｎ直下の被照射面Ｗ１上の照度を各々測定した結果を表１に示す。表１においては、各ランプＬｍｎの設定変圧比％（ｔｍ×ｔｎ）を上段に記し、そのランプＬｍｎ直下の被照射面Ｗ１の照度を中心位置のランプＬ３ｃ直下の照度１３３７ルクスで除して得る照度比率を下段に記してある。
【００２０】
表１より、この照射装置Ａ１によれば、その照射面１２と概略同面積の被照射面Ｗ１の全面における照度のばらつきを１％以内に押さえることができるのがわかる。すなわち、被照射面を均一な照度で光照射できることがわかる。
【００２１】
【表１】
0004374508.tif 000002
【００２２】
このように、本実施形態１においては、変圧比ｔが、ｔ１＝ｔ５＝ｔａ＝ｔｅ＝１００％のため変圧装置Ｔを設置する必要がなく、またｔ２＝ｔ４＝ｔｂ＝ｔｄ＝７２％、ｔ３＝ｔｃ＝６７％であるので、電源装置Ｅを２種類の変圧比  ７２％、６７％の変圧装置Ｔで構成できる。さらに、図３に示す例では各行の変圧装置Ｔ２、Ｔ３、Ｔ４は各々共通の１個にしているので、変圧装置Ｔの個数および種類を削減することができる。すなわち、本実施形態１では、２５個のランプＬを、２種類の変圧比に調整された総数１８個の変圧装置Ｔで電圧を制御して、被照射体Ｗの被照射面Ｗ１を均一に照射できるのである。
【００２３】
したがって、本実施形態１によれば、照射面１２と概略同形状，同面積を有し、かつ前記照射面１２と平行に配置された被照射面Ｗ１を均一に照射することができる光源１０を有する照射装置Ａ１の構成を簡素化できる。つまり、光源１０の制御に用いる変圧装置Ｔの個数を少なくすることができ、しかもその変圧比も２種類であるため、電源装置Ｅの構成が簡素化される。
【００２４】
また、それにより照射装置Ａ１のコストを削減できるとともに、ランプＬの照射強度の調整も容易となる。
【００２５】
実施形態２
本発明の実施形態２に係る照射装置Ａ２を図４〜図５に示す。図４は実施形態２にかかる照射装置Ａ２と、それが照射する被照射体Ｗとの位置関係を示す図でありかつ図１相当図である。図５は光源２０の照射面２２上のランプＬ配置を示す配置図でありかつ図２相当図である。
【００２６】
本実施形態２は実施形態１を改変したものであって、図４に示すように、ランプＬが配列された照射面２２より大きな面積の被照射面Ｗ１をほぼ同一の照度で均一に照射するためのものである。そして実施形態１と同様に、照射面２２と被照射体Ｗの被照射面Ｗ１とは距離１０００ｍｍをもって平行に配置されている。なお、図中の符号２１はハウジングを示す。
【００２７】
光源２０は、図５に示すように、その照射面２２上にランプＬがｍ行ｎ列（図示例では、ｍ＝１〜６、ｎ＝ａ〜ｅ）のマトリックス状に、２５０ｍｍ間隔にて配列されるとともに、外周部の外側領域Ｏと内部の内側領域Ｉとに分割されている。つまり、光源２０が外側領域Ｏと内側領域Ｉとに分割されている。そして、前記ランプＬはこの照射面２２の外側領域Ｏ、内側領域Ｉにそれぞれ所定の２種類のランプＬＯ、ＬＩから構成されている。
【００２８】
なお、照射面２２の前記領域は、照射面２２自身に区別は無く、異なる定格または異なる調整をなされたランプＬＯ、ＬＩが配設されることによって区別されるものである。また、ランプＬＯは定格ワット数３７５Ｗのランプとされ、その光軸は照射面２２より大きな被照射面Ｗ１を均一に照射するために、図示のように照射面２２の垂線Ｖに対して外方に向けて所望角度θで寝かされている一方、ランプＬＩはランプＬＯより定格ワット数の小さい２５０Ｗランプとされ、その光軸は照射面２２の垂線Ｖに一致させられている。ここで、前記所望角度θは被照射面Ｗ１の大きさに応じて適宜設定されるものである。
【００２９】
電源装置Ｅの配線においては、実施形態１と同様に、各行、各列毎に所定の変圧比ｔの変圧装置Ｔが設けられて印加電圧が所定変圧比で順次変圧されるようにされている。その変圧比ｔは、具体的には、図中％数字に示すように、１行目から順に６行目まで１００％、７２％、６７％、６７％、７２％、１００％とされており、また、ａ列目から順にｅ列目まで１００％、７２％、６７％、７２％、１００％とされている。なお、実施形態２のその余の構成は、実施形態１と同様とされているので、その構成の詳細な説明は省略する。
【００３０】
このように本実施形態２においては、照射面２２の外周部の外側領域Ｏに大きな定格のランプＬＯが外方に向けて所望角度θで寝かされて配置されているので、実施形態１で得られる効果の他に、前記照射面２２より大面積の被照射面Ｗ１をほぼ同一の照度で均一に光照射することができる。また、この実施形態２は、加熱を行う場合において一般的に被照射面Ｗ１の周辺温度が加熱温度より低いため、周辺部の照射強度を強くする必要があるときに、より有効である。
【００３１】
なお、外側領域ＯのランプＬＯが寝かされる所望角度θは、照射面２２と被照射面Ｗ１との寸法関係および位置関係により、０〜９０度の範囲で最適な角度を選択することができる。
【００３２】
実施形態３
本発明の実施形態３に係る照射装置Ａ３を図６〜図７に示す。図６は実施形態３にかかる照射装置Ａ３と、それが照射する被照射体Ｗとの位置関係を示す図でありかつ図１相当図である。図７は光源３０の照射面３２上のランプＬ配置を示す配置図でありかつ図２相当図である。なお、図中符号３１はハウジングを示す。
【００３３】
本実施形態３は、実施形態２を改変したものであって、図６に示すように、光源３０のランプＬが配列された照射面３２より大きな面積の被照射面Ｗ１を二つの異なった照射または加熱状態に照射するためのものである。
【００３４】
光源３０は、図７に示すように、実施形態２と同様にその照射面３２上にランプＬがｍ行ｎ列（図示例では、ｍ＝１〜６、ｎ＝ａ〜ｅ）のマトリックス状に、２５０ｍｍ間隔にて配設されている。また、照射面３２が外周部の外側領域Ｏと内部の内側領域Ｉとに分割されるとともに、中央を境に上下にＡ部とＢ部とに分割されている。つまり、上部外側領域ＡＯと、上部内側領域ＡＩと、下部外側領域ＢＯと、下部内側ＢＩとの合計４つの領域に分割されている。そして、ランプＬは、前記領域毎に所定定格のランプＬＡＯとＬＡＩとＬＢＯとＬＢＩとから構成されている。
【００３５】
マトリックス状のランプの配置はＡ部、Ｂ部ともに実施形態２と同様に外側領域のランプを定格の大きなものとしているが、この実施形態３では、Ａ部とＢ部でランプの定格を変えているので、Ａ、Ｂ両部によって照射される部分の被照射強度が変わってくる。なお、実施形態３のその余の構成は、実施形態２と同様であるので、その構成の詳細な説明は省略する。
【００３６】
このように本実施形態３においては、その照射面３２を外周部の外側領域Ｏと内部の内側領域Ｉとに分割するとともに、中央を境に上下にＡ部とＢ部とに分割し、つまり上部外側領域ＡＯと上部内側領域ＡＩと下部外側領域ＢＯと下部内側ＢＩとに分割し、そしてランプＬは、前記領域毎に所定定格のランプＬＡＯとＬＡＩとＬＢＯとＬＢＩとから構成しているので、実施形態２で得られる効果の他に、照射面３２より大面積の被照射面Ｗ１を二つの異なった照度分布あるいは加熱状態となるように照射することができる。なお、前記照射面３２のＡ部、Ｂ部のランプＬを同一の仕様として、電源装置Ｅの配線を照射面３２のＡ部、Ｂ部の領域に応じて区画し、変圧装置ＴをＡ部、Ｂ部で異なった変圧比率で分割制御しても同様の効果が得られるのはもちろんである。
【００３７】
実施形態４
本発明の実施形態４に係る照射装置Ａ４を図８〜図９に示す。図８は実施形態４にかかる照射装置Ａ４と、それが照射する被照射体Ｗとの位置関係を示す図でありかつ図１相当図である。図９は光源４０の照射面４２上のランプＬ配置を示す配置図であり図２相当図である。なお、図中符号４１はハウジングを示す。
【００３８】
本実施形態４は実施形態１を改変したものであって、図８に示すように、照射面４２に向けて凸形状とされた被照射面Ｗ１、Ｗ２、Ｗ３を均一に照射するためのものである。ここで、被照射面Ｗ３は他の被照射面Ｗ１、Ｗ２より一定量、例えば２００ｍｍ高くされている。例えば、被照射面Ｗ３は照射面４２と８００ｍｍ、被照射面Ｗ１、Ｗ２は照射面４２と１０００ｍｍの距離を持ち平行に配置されている。また、この被照射体Ｗの外形は、照射面４２の外形とほぼ同様とされている。
【００３９】
また、この実施形態４の光源４０は、図９に示すように、その照射面４２上にランプＬをｍ行×ｎ列（図示例では、ｍ＝１〜５、ｎ＝ａ〜ｄ）のマトリックス状に配設してなるものであり、前記被照射面Ｗ３は、ｂ列目とｃ列目のランプＬｂとＬｃとの直下にあるものとされ、これに対応して前記照射面４２は外側領域Ｏと内側領域Ｉに分割されている。つまり、光源４０は外側領域Ｏと内側領域Ｉとに分割されている。
【００４０】
照射面４２の外側領域Ｏに配設されるａ列目およびｄ列目のランプＬａ、Ｌｄは、定格ワット数の大きい３７５Ｗランプとされており、内側領域Ｉに配設されるｂ列目およびｃ列目のランプＬｂ、Ｌｃは、定格ワット数の小さい２５０Ｗランプとされており、各ランプＬの中心間隔はすべて２５０ｍｍとされている。
【００４１】
電源装置Ｅの配線は、実施形態１と同様に構成され、その変圧比ｔは図中％数字に示すように、１行目から順に５行目まで１００％、７５％、６９％、７５％、１００％とされており、また、ａ列目から順にｄ列目まで１００％、４７％、４７％、１００％とされている。つまり、被照射面Ｗ１、Ｗ２、Ｗ３の照度が均一となるように、ランプＬの定各ワット数およびその変圧比が設定されている。
【００４２】
なお、実施形態４のその余の構成は、実施形態１と同様であるので、その構成の詳細な説明は省略する。
【００４３】
このように本実施形態４においては、ランプＬの定格およびその変圧比を適当に設定することにより、その照射面４２からの距離の異なる二つの被照射面、すなわち被照射面Ｗ１、Ｗ２、および被照射面Ｗ３に対しその距離に応じてランプＬの印加電圧を容易に調節できるので、実施形態１で得られる効果の他に、照射面４２と同形状で段差を有する被照射面Ｗ１、Ｗ２、Ｗ３をほぼ同一の照度で均一に照射することができる。言い換えると、この実施形態４によれば、段差を有する種々の形状の被照射体Ｗに対して、その照射面Ｗ１、Ｗ２、Ｗ３、・・・を均一に照射するための、照度調節を容易に行える照射装置が得られる。
【００４４】
実施形態５
本発明の実施形態５に係る照射装置Ａ５を図１０〜図１２に示す。図１０は実施形態５に係る照射装置Ａ５を側面から見た図であり、図１１は光源５０の照射面５２上のランプＬ配置を示すための配置図である。また、図１２はその電源装置の配線図である。
【００４５】
本実施形態５は、実施形態１を改変したものであって、光源５０を昇降可能としてなるものである。すなわち、図１０に示すように、光源５０は、ハウジング５１と、その一面（照射面５２）にマトリックス状に配列された保護カバーＤを有する所要数のランプＬと、このハウジング５１を昇降可能に支持する走行スタンド５３とを備えてなるものとされる。また、照射面５２の表面には、照射効率をよくするために反射板Ｆが取り付けられている。なお、図中の符号５４はハンドルを示し、符号５５はキャスタを示す。
【００４６】
前記マトリックス状の配列は、図１１に示すように、ランプＬが各々２５０ｍｍの中心間隔をもって９行×６列とされている。
【００４７】
以下、前記照射面５２上の、これら５４個のランプＬの位置を特定するために、前述のように、ランプＬに行番号と列番号とを付して、Ｌｍｎ（図示例においては、ｍ＝１〜９、ｎ＝ａ〜ｆ）と表記する。
【００４８】
前記マトリックス状配列の最外周に配設されたランプＬ、すなわちランプＬ１、Ｌ９、Ｌａ、Ｌｆと、その内側のコーナー部に配設されたランプＬ、すなわちランプＬ２ｂ、Ｌ２ｅ、Ｌ８ｂ、Ｌ８ｅとは、それぞれが同一定格のランプＬＯとされて外側領域Ｏを形成する。そして、残余のランプＬもまた、それぞれが同一定格のランプＬＩとされて内側領域Ｉを形成する。このようにして、照射面５２は外周部近傍の外側領域Ｏと内部の内側領域Ｉとに分割され、各領域毎に所定定格のランプＬＯ、ＬＩが配設されている。つまり、光源５０は外側領域Ｏと内側領域Ｉとに分割されている。具体的には、照射面５２の外周部近傍の外側領域Ｏに配設されたランプＬＯは、定格ワット数３７５Ｗのランプとされ、そして照射面５２の中心に近い内側領域Ｉに配設されたランプＬＩは、前記ＬＯより定格ワット数の小さい２５０Ｗランプとされている。
【００４９】
ランプＬｍｎに印加される電圧は、各列毎に所定の変圧比ｔｎで変圧され、かつ各行毎に所定の変圧比ｔｍで変圧されるものとされており、つまり印加電圧は所定変圧比で順次変圧されるようにされている。そして、各行および各列の所定の変圧比は、具体的には、表２に示すものとされている。前述のように、変圧比１００％のとき変圧装置Ｔは省略されるので、電源装置Ｅの配線は、図１２に示すように、各ランプＬに、各列の元に配設されて各列において共用されている所定変圧比の変圧装置Ｔｂ〜Ｔｅと、各行における所定の変圧比の変圧装置Ｔ２〜Ｔ８とが直列に接続された構造とされる。具体的には、変圧比が７５％の変圧装置Ｔと、変圧比が７３％の変圧装置Ｔとが、合計４６個使用されている。なお、電源装置Ｅの配線の行と列とを変更してもよい。
【００５０】
以下、実施形態１と同様に変圧比１００％の変圧装置Ｔ１、Ｔ９、Ｔａ、Ｔｆ（図１２において破線で示す）を仮想して説明する。
【００５１】
このような構成とされた電源装置Ｅにより、ランプＬｍｎに印加される電圧は、電源電圧がｎ列の変圧装置Ｔｎ（図示例においては、ｎ＝ａ〜ｆ）により変圧された後、そのランプＬｍｎに付随するｍ行で所定の変圧比ｔｍの変圧装置Ｔｍ（図示例においては、ｍ＝１〜９）により変圧された電圧となる。したがって、この照射装置５０のランプＬｍｎに印加される電圧は、例えば、ランプＬ３ｄにおいては、変圧装置Ｔｄにより変圧比７３％で変圧された後、さらに変圧装置Ｔ３により変圧比７３％で変圧されるため、その変圧比は５３％（＝７３％×７３％）となるものとされている（表２参照）。
【００５２】
【表２】
0004374508.tif 000003
【００５３】
次に、かかる構成とされている照射装置Ａ５により被照射面Ｗ１を照射して被照射面の照度を測定した。
【００５４】
照射装置Ａ５による照射は、光源５０を被照射体Ｗの近くに移動し、その照射面５２を被照射面Ｗ１に１０００ｍｍの距離で平行に対向させて、電源装置Ｅを定格電圧２２０Ｖの交流電源に接続して行った。また、照度の測定は、ランプＬに相対する各位置について行った。
【００５５】
そして、得られた測定結果、およびその測定結果を照射面５２の中心に相対する位置、すなわち被照射面Ｗ１の中心の照度で除して得られた値を表３に併記して示した（実施例）。また、比較のために、変圧装置Ｔによる印加電圧の調整を行わなかった他は、実施例と同様にして被照射面Ｗ１を照射して得られた測定結果、および同様にして処理して得られた結果を表４に併記して示した（比較例）。
【００５６】
【表３】
0004374508.tif 000004
【００５７】
【表４】
0004374508.tif 000005
【００５８】
表３および表４により、比較例においては被照射面Ｗ１の中心部の照度が１４１６ルクスであり、また同コーナー部すなわちランプＬ１ａ相対位置の照度は７９８ルクス（対中心部比率５６％）であるのに対して、実施例においては、被照射面Ｗ１の中心部の照度が７７５ルクスであり、また同コーナー部すなわちランプＬ１ａ相対位置の照度は７９８ルクス（同１０３％）であり、しかも最も照度の高い位置（Ｌ３ａ、Ｌ３ｆ、Ｌ７ａ、Ｌ７ｆの各相対位置）においてもその照度は８２５ルクス（同１０６％）となっているのがわかる。このように、実施例、すなわち実施形態５の照射装置Ａ５によれば、比較例に比べて著しく被照射面Ｗ１の照度の均一性が向上しており、照射面５２と同面積の被照射面Ｗ１を照度のばらつきを６％以内に押さえれるのがわかる。
【００５９】
このように、この照射装置５０は、２種類からなる５４個のランプＬＯ、ＬＩを４６個の変圧装置Ｔで二種類の変圧比（７３％、７５％）で印加電圧を調整して制御することで、その照射面１２と同面積の被照射面Ｗ１を６％以内の均一性で照射ができる。また、本実施形態５では、光源５０をキャスタ５５による移動や昇降ハンドル５４による上下の位置調整ができるので、光源５０を所望の場所に移動させての被照射面Ｗ１を均一に光を照射することができ、また、移動できない被照射面Ｗ１に対しても均一に光を照射することができる。
【００６０】
以上、本発明を実施形態に基づいて説明してきたが、本発明はかかる実施形態のみに限定されるものではなく、種々改変が可能である。
【００６１】
例えば、各実施形態では、変圧装置Ｔとして可変変圧比のものを所定の変圧比に調節して用いたが、所定変圧比の固定変圧装置を用いてもよい。また、可変変圧装置Ｔは個数および変圧比設定値の種類が少ないため調節が容易であるので、現場において手動で調節を行ってもよく、または被照射面Ｗ１に設置した照度計や温度計からのデータをフィードバックすることにより自動調節とすることもできる。
【００６２】
また、各実施形態では、ランプとして可視光線を照射するランプＬとされているが、ランプとしては可視光線を照射するものに限定されるものではなく、赤外光線を発する赤外線ランプまたは紫外光線を発する紫外線ランプであってもよいのはもちろんである。したがって、各実施形態の照射装置は、可視光線による照明コントロール、赤外線による温度コントロール、紫外線による樹脂硬化や日照試験など種々の用途に使用することもできる。
【００６３】
さらに、各実施形態においては、照射面および被照射面とは共に平面とされているが、両面とも曲面とされてもよい。
【００６４】
【発明の効果】
以上詳述したように、本発明の照射装置によれば、照射装置の照射面と対向配置された所定形状の被照射面を、均一にまたは所定分布で照射するのに照度調整が極めて容易にできるという優れた効果が得られる。
【００６５】
また、本発明の照射装置においては、光源への印加電圧を所定変圧比で順次変圧するようにしているので、照射装置の構成を簡素化できるとともに、光源の出力の調整が容易となるという優れた効果が得られる。
【００６６】
さらに、照射面の外周部に配列された光源を外方に向けて所望角度で寝かせている、本発明の好ましい形態によれば、照射面より大面積の被照射面を均一にまたは所定分布で照射することができるという優れた効果が得られる。
【図面の簡単な説明】
【図１】本発明の実施形態１に係る照射装置の照射状態を示す図である。
【図２】実施形態１に係る照射装置の照射面内のランプ配置を示す図である。
【図３】実施形態１に係る照射装置の電源配線を示す図である。
【図４】本発明の実施形態２に係る照射装置の照射状態を示す図である。
【図５】実施形態２に係る照射装置の照射面内のランプ配置を示す図である。
【図６】本発明の実施形態３に係る照射装置の照射状態を示す図である。
【図７】実施形態３に係る照射装置の照射面内のランプ配置を示す図である。
【図８】本発明の実施形態４に係る照射装置の照射状態を示す図である。
【図９】実施形態４に係る照射装置の照射面内のランプ配置を示す図である。
【図１０】本発明の実施形態５に係る照射装置を示す図である。
【図１１】実施形態５に係る照射装置の照射面内のランプ配置を示す図である。
【図１２】実施形態５に係る照射装置の電源配線を示す図である。
【符号の説明】
１０、２０、３０、４０、５０    光源
１１、２１、３１、４１、５１    ハウジング
１２、２２、３２、４２、５２    照射面
５３                            スタンド
５４                            ハンドル
５５                            キャスタ
Ｌ、ＬＯ、ＬＩ                  ランプ
Ａ                              照射装置
Ｅ                              電源装置
Ｔ                              変圧装置
Ｗ                              被照射体
Ｗ１、Ｗ２、Ｗ３                被照射面
Ｄ                              ランプカバー
Ｆ                              反射板
Ｏ                              外側領域
Ｉ                              内側領域
【図１】
0004374508.tif 000006
【図２】
0004374508.tif 000007
【図３】
0004374508.tif 000008
【図４】
0004374508.tif 000009
【図５】
0004374508.tif 000010
【図６】
0004374508.tif 000011
【図７】
0004374508.tif 000012
【図８】
0004374508.tif 000013
【図９】
0004374508.tif 000014
【図１０】
0004374508.tif 000015
【図１１】
0004374508.tif 000016
【図１２】
0004374508.tif 000017